(57)【要約】【課題】その構成の簡略化を図るとともに部品点数を低減し、しかも、静電気およびノイズ除去対策を施すことができること。【解決手段】フレキシブル配線基板１８の接続端を選択的に押圧する押圧面部１０Ｄを有する金属製の固定端子付アクチュエータ部材１０が、プリント配線基板ＰＢの導体に半田付け固定される固定端子部を一端に有する固定部１０Ｒｆ，１０Ｌｆを一体に備えるもの。【選択図】図１
2008282718.tif 000002
【特許請求の範囲】
【請求項１】
一端に端子部を有するケーブルにおける該端子部に対し電気的に接続されるコンタクト端子を有し、該ケーブルの一端を着脱可能に収容するケーブル収容部と、
前記ケーブル収容部内に配されるケーブルの一端を前記コンタクト端子に対し当接するように該一端を押圧する第１の位置または該ケーブルの一端に対し離隔する第２の位置をとる押圧部と、前記コンタクト端子が電気的に接続される配線基板に固定される固定端子部を有し該押圧部を移動可能に支持する脚部とを備え、導電性材料で一体に成形されるアクチュエータ部材と、
前記アクチュエータ部材が前記第１の位置をとるとき、選択的に前記押圧部の押圧状態を保持する保持手段と、を備え、
前記アクチュエータ部材の前記押圧部における前記ケーブル収容部の開口端部の周縁に当接する部分が、該押圧部に連結される該脚部の一端と該脚部の湾曲部との間に対応する位置に形成され、切欠部が、該押圧部に連結される該脚部の一端と該押圧部との間に形成されることを特徴とするケーブル用コネクタ。
【請求項２】
前記アクチュエータ部材の押圧部が、前記第１の位置をとるとき、該押圧部の押圧面部が、前記ケーブルの一端の端子部に相対向する表層部に形成されるグランド層に当接することを特徴とする請求項１記載のケーブル用コネクタ。
【請求項３】
前記アクチュエータ部材の脚部は、前記押圧部に一端が連結される可動片部と、前記固定端子部が形成される固定部と、該可動片部と該固定部とを連結する湾曲部とからなり、曲率半径の互いに異なる第１及び第２の曲げ部が、該可動片部の他端と前記湾曲部との間の境界部分にそれぞれ形成され、
該第２の曲げ部に比して該湾曲部に対しより離隔した位置にある該第１の曲げ部の曲率半径が、該第２の曲げ部の曲率半径に比して大に設定されていることを特徴とする請求項１記載のケーブル用コネクタ。
【請求項４】
複数種類のコンタクト端子を備え、複数種類のうち少なくとも一方のコンタクト端子は、前記アクチュエータ部材の押圧部の端面に当接する接地用端子を有することを特徴とする請求項１記載のケーブル用コネクタ。
【請求項５】
前記保持手段は、前記アクチュエータ部材の押圧部の外周縁を選択的に係止する係止部を弾性変位可能とされる部分に有するロック／アンロック部材であることを特徴とする請求項１記載のケーブル用コネクタ。
【発明の詳細な説明】
【技術分野】
【０００１】
本発明は、ケーブルの一端を配線基板に電気的に接続するケーブル用コネクタに関する。
【背景技術】
【０００２】
電子機器内部における電装部品相互間の電気的接続を行うにあたり、ケーブル用コネクタが実用に供されている。ケーブル用コネクタは、例えば、フラットケーブル（ＦＦＣ）、または、フレキシブル配線基板（ＦＰＣ；ｆｌｅｘｉｂｌｅ  ｐｒｉｎｔｅｄ  ｃｉｒｃｕｉｔ）を介してプリント配線基板に電装品を電気的に接続するものとされる。
【０００３】
そのようなケーブル用コネクタにおいて、ロータリ式のケーブル用コネクタは、例えば、特許文献１、特許文献２、および、特許文献３にも示されるように、プリント配線基板上に配されケーブル収容部を有するコネクタ本体部と、コネクタ本体部におけるケーブル収容部に設けられプリント配線基板の電極部とフレキシブル配線基板の端子部とを電気的に接続する複数のコンタクト端子と、コネクタ本体部に対し回動可能に支持されフレキシブル配線基板の端子部のコンタクト端子の接点部に対する着脱を行う操作子（上述の特許文献２および３においてはそれぞれアクチュエータまたは押圧部材とも呼称される）と、を含んで構成されている。
【０００４】
コネクタ本体部は、一方の端部に接続されるべきフレキシブル配線基板の端子部が通過する挿入口を有している。その挿入口は、コネクタ本体部の内部に形成されるケーブル収容部に連通している。ケーブル収容部は、コネクタ本体部の内壁により囲まれ形成されている。コネクタ本体部のケーブル収容部の上部を形成する部分の開口端には、後述する複数のコンタクト端子のストッパ部が突出している。その各コンタクト端子のストッパ部には、樹脂製の操作子の基端部が回動可能に支持されている。
【０００５】
その操作子は、ケーブル収容部に対向する部分にフレキシブル配線基板の裏板部に当接しつつその裏板部を後述するコンタクト端子の接点部に向けて押圧する押圧面部を有している。
【０００６】
その押圧面部は、例えば、樹脂製の操作子に固定された金属製プレートにより形成されている。操作子がロック状態とされる場合、金属製プレートの両端にそれぞれ形成される凹部は、それぞれ、コネクタ本体部に設けられる金属製のホールドダウン（特許文献２においては補強端子と呼称される）の凸部に嵌合される。
【０００７】
複数のコンタクト端子は、フレキシブル配線基板の端子部の配列に対応してケーブル収容部内に配列されている。各コンタクト端子は、プリント配線基板の導体に半田付固定される固定端子部と、二股状に形成されるストッパ部および可動端子部と、固定端子部とストッパ部および可動端子部の合流部とを連結する連結部とを含んで構成されている。
【０００８】
各コンタクト端子のストッパ部の先端は、操作子の基端部の凹部に臨むように配置されている。これにより、操作子の先端がケーブル収容部に対し離隔状態となるとき、即ち、アンロック状態となるとき、ストッパ部の先端は、操作子の凹部に係合し操作子の開き角度を規制することとなる。
【０００９】
可動端子部は、先端にフレキシブル配線基板の端子部に電気的に接続される接点部を有している。
【００１０】
連結部は、その突起部がコネクタ本体部のケーブル収容部に隣接して形成されるスリットに圧入されることにより、コネクタ本体部に固定されている。
【００１１】
かかる構成において、フレキシブル配線基板の端子部を各コンタクト端子の接点部に電気的に接続するにあたっては、挿入口を通じてフレキシブル配線基板の端子部がケーブル収容部の後方側を形成する後部壁部近傍位置まで挿入された後、操作子の先端が所定の方向に回動され、ロック状態とされる。
【００１２】
従って、フレキシブル配線基板の端子部は、操作子の押圧面部によりコンタクト端子の可動端子部の接点部に対し押圧され電気的に接続されることとなる。その際、フレキシブル配線基板の端子部は、操作子の押圧面部と弾性変位した各コンタクト端子の可動端子部とにより挟持されることとなる。また、帯電した静電気等が、上述の操作子に固定された金属製プレートおよびコネクタ本体部に設けられる金属製のホールドダウンを通じてプリント配線基板のグランドラインに除去されることとなる。
【００１３】
【特許文献１】特開平１１−１１１４０４号公報
【特許文献２】特開２００２−１７０６４１号公報
【特許文献３】特開平９−２３２０３９号公報
【発明の開示】
【発明が解決しようとする課題】
【００１４】
しかしながら、静電気およびノイズ除去対策のために上述のようなケーブル用コネクタの構成においては、少なくとも樹脂製の操作子に固定される金属製プレート、および、コネクタ本体部に設けられる金属製のホールドダウン（補強端子）が必要とされるのでさらなるコネクタの部品点数および製造コストの低減を図ることにも限界がある。
【００１５】
以上の問題点を考慮し、本発明は、ケーブルの一端を配線基板に電気的に接続するケーブル用コネクタであって、その構成の簡略化を図るとともに部品点数を低減し、しかも、静電気およびノイズ除去対策を施すことができるケーブル用コネクタを提供することを目的とする。
【課題を解決するための手段】
【００１６】
上述の目的を達成するために、本発明に係るケーブル用コネクタは、一端に端子部を有するケーブルにおける端子部に対し電気的に接続されるコンタクト端子を有し、ケーブルの一端を着脱可能に収容するケーブル収容部と、ケーブル収容部内に配されるケーブルの一端をコンタクト端子に対し当接するように一端を押圧する第１の位置またはケーブルの一端に対し離隔する第２の位置をとる押圧部と、コンタクト端子が電気的に接続される配線基板に固定される固定端子部を有し押圧部を移動可能に支持する脚部とを備え、導電性材料で一体に成形されるアクチュエータ部材と、アクチュエータ部材が第１の位置をとるとき、選択的に押圧部の押圧状態を保持する保持手段と、を備え、アクチュエータ部材の前記押圧部におけるケーブル収容部の開口端部の周縁に当接する部分が、押圧部に連結される脚部の一端と脚部の湾曲部との間に対応する位置に形成され、切欠部が、押圧部に連結される脚部の一端と押圧部との間に形成されることを特徴とする。
【発明の効果】
【００１７】
以上の問題点を考慮し、本発明に係るケーブル用コネクタによれば、アクチュエータ部材は、ケーブル収容部内に配されるケーブルの一端をコンタクト端子に対し当接するように一端を押圧する第１の位置またはケーブルの一端に対し離隔する第２の位置をとる押圧部と、コンタクト端子が電気的に接続される配線基板に固定される固定端子部を有し押圧部を移動可能に支持する脚部とを備え、導電性材料で一体に成形されるのでコネクタの構成の簡略化が図られるとともに部品点数が低減され、しかも、配線基板に固定される固定端子部を有するので静電気およびノイズ除去対策を施すことが可能となる。
【発明を実施するための最良の形態】
【００１８】
図２は、本発明に係るケーブル用コネクタの第１実施例の外観を示す。
【００１９】
図２において、ケーブル用コネクタは、例えば、電子機器内に装備される電装品と所定のプリント配線基板とをケーブルを介して電気的に接続するものとされる。
【００２０】
ケーブル用コネクタは、ケーブルとしてのフレキシブル配線基板（ＦＰＣ）１８の他端に接続されている。各信号群を双方向に伝送するフレキシブル配線基板（ＦＰＣ）１８の一端は、電装品の接続端子部（不図示）に接続されている。
【００２１】
ケーブル用コネクタは、フレキシブル配線基板１８の他端に接続され、フレキシブル配線基板１８の他端が着脱可能に接続されるケーブル収容部１４Ａを有するコネクタ本体部１４と、フレキシブル配線基板１８の他端を信号入出力部としてのプリント配線基板ＰＢ（図６参照）に電気的に接続する複数のコンタクト端子１６ａｉ（ｉ＝１〜ｎ，ｎは正の整数）と、固定端子付アクチュエータ部材１０と、を含んで構成されている。
【００２２】
上述のフレキシブル配線基板１８は、例えば、ＹＦＬＥＸ（登録商標）とされ、図４に示されるように、保護層に覆われた複数の導電層が絶縁性基材上の一方の表層部に形成される構成とされる。絶縁性基材は、例えば、厚さ５０μｍ程度の液晶ポリマー、ガラスエポキシ樹脂、ポリイミド（ＰＩ）、ポリエチレンテレフタレート（ＰＥＴ）、あるいは、ポリエーテルイミド（ＰＥＩ）で成形されている。保護層は、例えば、熱硬化型のレジスト層、あるいは、ポリイミドフィルムにより形成されている。なお、フレキシブル配線基板１８の両端部の構造は、それぞれ、互いに同一の構造を有するので一方の端部についてのみ説明し、他方の端部についての説明を省略する。
【００２３】
複数の導電層は、例えば、銅合金の層で絶縁性基材の一方の表層部１８ＳＡに形成され、複数の信号ライン群をフレキシブル配線基板１８の幅方向に沿って所定の間隔で互いに平行に有している。複数の導電層の一方の端部には、図４に拡大されて示されるように、各導電層に対応してコンタクトパッド群１８ａｉ（ｉ＝１〜ｎ，ｎは正の整数）が形成されている。コンタクトパッド群１８ａｉを構成する各コンタクトパッドは、後述するコンタクト端子１６ａｉの配列に対応して二列で形成されている。各列のコンタクトパッドは、フレキシブル配線基板１８の幅方向に沿って所定の間隔で互いに平行に形成されている。また、隣接する各列におけるコンタクトパッドは、互いに向き合っている。
【００２４】
なお、コンタクトパッド群１８ａｉを構成する各コンタクトパッドの配列は、斯かる例に限られることなく、例えば、千鳥掛け状に配列されるコンタクト端子の配列に対応して千鳥掛け状に形成されてもよい。
【００２５】
絶縁性基材の他方の表層部１８ＳＢにおけるコンタクトパッド群１８ａｉに対向する部分には、所定の大きさの裏板１８Ｂが接合されている。裏板１８Ｂにおいてコンタクトパッド群１８ａｉにおける一方のコンタクトパッド列の両端近傍には、それぞれ、後述するケーブル収容部１４Ａ内の切欠部１４Ｃの周縁に係止される被係止部１８ｂが一体に一対向かい合って形成されている。各被係止部１８ｂは、外方に向けて突出している。
【００２６】
さらに、裏板１８Ｂの表面には、上述の複数の導電層のうちの接地ラインにバンプを介して接続されるグランド層１８Ｇが上述のコンタクトパッド列に向き合って形成されている。
【００２７】
コネクタ本体部１４は、厚さ約１．２ｍｍ程度に、樹脂材料で成形され、その略中央部にケーブル収容部１４Ａと、ケーブル収容部１４Ａの両脇に形成され固定端子付アクチュエータ部材１０の各脚部をそれぞれ内側に収容し支持する一対のアクチュエータ支持部１４ＳＡと、ロック／アンロック部材１２Ｒおよび１２Ｌをそれぞれ内側に収容し固定するスリット部１４ＳＤと、を備えている。
【００２８】
スリット部１４ＳＤは、一対のアクチュエータ支持部１４ＳＡと各側壁の外周部との間の部分にそれぞれ形成されている。スリット部１４ＳＤの開口端近傍は、図１５に拡大されて示されるように、ケーブル収容部１４Ａから離隔する方向に所定の勾配で傾斜するように形成されている。これにより、傾斜面１４ｒがスリット部１４ＳＤの開口端近傍の一部に形成されている。
【００２９】
後述する固定端子付アクチュエータ部材１０の押圧部を選択的にロック状態とするロック／アンロック部材１２Ｒおよび１２Ｌは、図７に拡大されて示されるように、それぞれ、互いに点対称となるような形状に形成されている。
【００３０】
ロック／アンロック部材１２Ｒおよび１２Ｌは、それぞれ、例えば、薄鋼板で作られ、板厚さ方向に屈曲した係止部１２Ｒｓ、１２Ｌｓを一端部に有している。係止部１２Ｒｓ、および、１２Ｌｓは、それぞれ、互いに向き合った位置でお互いに対して所定長さ突出し形成されている。ロック／アンロック部材１２Ｒおよび１２Ｌの他端部１２ｆは、それぞれ、図７において斜線部分がスリット部１４ＳＤ内に嵌合される。これにより、ロック／アンロック部材１２Ｒおよび１２Ｌがスリット部１４ＳＤ内に固定される。
【００３１】
また、ロック／アンロック部材１２Ｒおよび１２Ｌにおけるスリット部１４ＳＤの開口端から突出した部分は、図１３および図１５に示される矢印の示す方向に押圧されることにより、弾性変位可能とされ、一方、その押圧力が解放されるとき、その復元力により、その突出した部分が初期位置に戻される。
【００３２】
コネクタ本体部１４のケーブル収容部１４Ａは、図７に拡大されて示されるように、フレキシブル配線基板１８の接続端が着脱可能となるように、前方および上方が開口している。ケーブル収容部１４Ａの底部を形成する底壁部には、図６に拡大されて示されるように、コンタクト端子１６ａｉが圧入される溝１４ｓａｉ（ｉ＝１〜ｎ，ｎは正の整数）がフレキシブル配線基板１８の接続端の着脱方向に対し略直交する方向に所定の間隔で形成されている。各溝１４ｓａｉは、背面部に向かって延在しケーブル収容部１４Ａを貫通している。隣接する溝１４ｓａｉの相互間は、隔壁１４ｗｉ（ｉ＝１〜ｎ，ｎは正の整数）により仕切られている。各溝１４ｓａｉには、向かい合って２本のコンタクト端子１６ａｉの可動端子部および固定端子部が圧入されている。
【００３３】
薄板金属材料で作られるコンタクト端子１６ａｉは、二股状に分岐して形成される可動端子部および固定端子部と、可動端子部および固定端子部を連結する固定部とからなる。
【００３４】
弾性変位可能な可動端子部は、フレキシブル配線基板１８の接続端に形成されるコンタクトパッド１８ａｉに当接する接点部１６Ｃを先端に有している。その固定部は、プリント配線基板ＰＢの導体に半田付け固定されている。
【００３５】
コンタクト端子１６ａｉの配列の両端にそれぞれ隣接した位置には、挿入されるフレキシブル配線基板１８の接続端をコンタクト端子１６ａｉの接点部１６Ｃに対し案内し位置決めする案内壁１４ＬＷおよび１４ＬＰ、１４ＲＷおよび１４ＲＰが形成されている。案内壁１４ＬＷおよび１４ＬＰ相互間には、フレキシブル配線基板１８の一方の被係止部１８ｂが挿入される切欠部１４Ｃが形成されている。また、案内壁１４ＲＷおよび１４ＲＰ相互間にも、フレキシブル配線基板１８の他方の被係止部１８ｂが挿入される切欠部１４Ｃが形成されている。さらに、案内壁１４ＬＷおよび案内壁１４ＲＷと両端に位置する溝１４ｓａｉとの間には、挿入されるフレキシブル配線基板１８の接続端の端面が当接される位置決め壁１４Ｅが形成されている。
【００３６】
これにより、図１０に部分的に拡大されて示されるように、挿入されるフレキシブル配線基板１８およびその被係止部１８ｂが案内壁１４ＬＷおよび１４ＬＰ、１４ＲＷおよび１４ＲＰ、位置決め壁１４Ｅによって、その着脱方向に沿って位置規制されることとなる。
【００３７】
固定端子付アクチュエータ部材１０は、図１に拡大されて示されるように、導電性材料、例えば、薄板金属材料でプレス加工により一体に成形され、押圧操作される押圧部１０Ｐと、押圧部１０Ｐの両脇に連なり押圧部１０Ｐを弾性変位可能に支持する一対の脚部とから構成されている。
【００３８】
押圧部１０Ｐは、図２および図３に拡大されて示されるように、フレキシブル配線基板１８の接続端の幅よりも大なる幅を有している。押圧部１０Ｐの内面における略中央部には、略長方形の押圧面部１０Ｄが隆起して形成されている。押圧面部１０Ｄよりも前端側部分には、押圧面部１０Ｄの長辺の寸法よりも大なる寸法で離隔した一対の孔１０ｂが形成されている。固定端子付アクチュエータ部材１０がロック状態の場合、各孔１０ｂには、図２に拡大されて示されるように、それぞれ、上述の案内壁１４ＲＰおよび１４ＬＰが挿入される。また、各孔１０ｂに隣接した押圧部１０Ｐの両側面部には、それぞれ、図１３に部分的に拡大されて示されるように、固定端子付アクチュエータ部材１０がロック状態に移行する場合、上述のロック／アンロック部材１２Ｒおよび１２Ｌの係止部１２Ｒｓ，１２Ｌｓに係合される所定の案内面１０Ｅが形成されている。固定端子付アクチュエータ部材１０がコネクタ本体部１４に装着される場合、押圧部１０Ｐの後端近傍の一部は、図６、図１１（Ａ），（Ｂ）に拡大されて示されるように、コネクタ本体部１４の上壁１４ＴＷの端部における内側の窪み内に挿入されている。これにより、押圧部１０Ｐの後端近傍の外面は、その窪みの周縁１４ｔｐに当接している。その際、周縁１４ｔｐは、押圧部１０Ｐが押圧操作される場合、押圧部１０Ｐにおける支点となる。
【００３９】
一対の脚部の一端は、それぞれ、押圧部１０Ｐの押圧面部１０Ｄの両脇に形成されている。各脚部の一端と押圧面部１０Ｄの短辺側の端との間には、所定の長さの切欠部１０Ｋが形成されている。押圧部１０Ｐが押圧操作され、所定の位置まで押し下げられる場合、切欠部１０Ｋには、上述の案内壁１４ＲＷ，１４ＬＷの端部が挿入される。
【００４０】
一対の脚部は、互いに同一の構造を有するので図１における右側の脚部について説明し、左側の脚部についての説明を省略する。右側の脚部は、他端に形成されコネクタ本体部１４のアクチュエータ支持部１４ＳＡに圧入される固定部１０Ｒｆと、押圧部１０Ｐの押圧面部１０Ｄの両脇に形成される可動片部１０Ｒｓと、固定部１０Ｒｆと可動片部１０Ｒｓとを連結する湾曲部１０Ｒｂとから構成される。
【００４１】
固定部１０Ｒｆは、その端部にプリント配線基板ＰＢの導体に固定される半田付け固定端子部を有している。可動片部１０Ｒｓと湾曲部１０Ｒｂとの間の部分１０Ｆ（図１において斜線が施される部分）は、アクチュエータ支持部１４ＳＡの上壁の内面に当接している。可動片部１０Ｒｓは、図８に拡大されて示されるように、部分１０Ｆに対して所定の角度をなして形成されている。その所定の角度は、図８において、例えば、部分１０Ｆと可動片部１０Ｒｓとの境界部分の位置Ｐ１に接する所定の曲率半径を有する円Ｒｂと、位置Ｐ１から所定距離、離隔した位置Ｐ３に接し、円Ｒｂよりも大なる曲率半径を有する円Ｒａとの共通接線により設定されている。
【００４２】
このように切欠部１０Ｋおよび可動片部１０Ｒｓが所定長さに設定される効果により、押圧部１０Ｐが押圧操作される場合、位置Ｐ１よりも上述の位置Ｐ３により近い押圧部１０Ｐの回転支点の位置Ｐ２が動かないように抑制される。即ち、押圧部１０Ｐの先端部がその下方のコンタクト端子１６ａｉが配列される面に対し略垂直となるように下降せしめられるので押圧時、湾曲部１０Ｒｂがアクチュエータ支持部１４ＳＡの底部に対し浮き上がることによって、押圧部１０Ｐが前方方向へ移動する量が最小限に抑えられる。従って、押圧部１０Ｐの後端が、周縁１４ｔｐから離脱する虞がない。
【００４３】
また、所定の長さの切欠部１０Ｋが設けられているので押圧部１０Ｐが押圧操作された後、押圧操作が解放されるとき、切欠部１０Ｋが設けられていない場合に比して可動片部１０Ｒｓが塑性変形し難い、その結果、押圧部１０Ｐが可動片部１０Ｒｓの復元力により確実に初期の状態に戻されることとなる。しかも、固定端子付アクチュエータ部材１０をより小型化できるのでケーブル用コネクタの低背化にも繋がることとなる。その際、可動片部１０Ｒｓは、部分１０Ｆに対して所定の円弧を介して角度をなして形成されているので押圧部１０Ｐの後端がフレキシブル配線基板１８の接続端に対し突き出る事態が回避され、従って、押圧部１０Ｐの押圧面部１０がコンタクト端子１６ａｉが配列される面に対し略平行となるようにフレキシブル配線基板１８の接続端が押圧されることとなる。
【００４４】
さらに、押圧面部１０Ｄが、従来のアクチュエータのように作業者の指等がその下方にあるコンタクト端子の接点部に接触可能となるまで回動しないので例えば、固定端子付アクチュエータ部材１０の脚部の湾曲部１０Ｒｂをアクチュエータ支持部１４ＳＡ内に挿入する場合、あるいは、押圧部１０Ｐが操作される場合であっても、押圧面部１０Ｄが常にコンタクト端子１６ａｉの接点部１６Ｃに対し対向し、誤って、作業者の指等がコンタクト端子１６ａｉの接点部、または、押圧面部１０Ｄに触れることがなく、その結果、押圧面部１０Ｄまたは接点部が汚損され、あるいは、それらの接点部が短絡する虞もない。
【００４５】
斯かる構成において、フレキシブル配線基板１８の接続端をコネクタ本体部１４のケーブル収容部１４Ａ内に接続する場合、図１１（Ａ）に示されるように、固定端子付アクチュエータ部材１０がアンロック状態とされるもとで、フレキシブル配線基板１８の表層部１８ＳＢにおけるコンタクトパッド群１８ａｉをコンタクト端子１６ａｉ向けて矢印の示す方向に沿って接続端がケーブル収容部１４Ａ内に図１１（Ｂ）に示されるように、挿入される。
【００４６】
次に、図３、図９、および図１０に示されるように、フレキシブル配線基板１８の被係止部１８ｂが切欠部１４Ｃに挿入され案内壁１４ＲＰおよび１４ＬＰに係止された後、図１２および図１３に示されるように、固定端子付アクチュエータ部材１０の押圧部１０Ｐが下方に向けて押圧される。これにより、その案内面１０Ｅによって、図１３における矢印の示す方向に、即ち、ロック／アンロック部材１２Ｒおよび１２Ｌの係止部１２Ｒｓおよび１２Ｌｓが互いに離隔する方向に押圧される。従って、ロック／アンロック部材１２Ｒおよび１２Ｌは、一旦、アンロック状態となる。
【００４７】
そして、さらに押圧部１０Ｐが下方に向けて押圧されることにより、ロック／アンロック部材１２Ｒおよび１２Ｌは、その復元力により矢印の示す方向とは反対方向に向けて戻され、図２および図５に示されるように、ロック状態となる。その際、押圧部１０Ｐの押圧面部１０Ｄがフレキシブル配線基板１８におけるグランド層１８Ｇに当接するのでグランド層１８Ｇが確実に半田付け固定端子部を通じて接地され、その結果、ノイズ等が固定部１０Ｒｆにおけるプリント配線基板ＰＢの導体に固定される半田付け固定端子部を通じて除去されることとなる。
【００４８】
一方、フレキシブル配線基板１８の接続端をコネクタ本体部１４のケーブル収容部１４Ａ内から取り外す場合、図１４および図１５に示されるように、ロック／アンロック部材１２Ｒおよび１２Ｌの係止部１２Ｒｓおよび１２Ｌｓが互いに離隔する方向に、弾性力に抗して押圧操作され、アンロック状態とされる。これにより、固定端子付アクチュエータ部材１０の押圧部１０Ｐが、可動片部１０Ｒｓ，１０Ｌｓの弾性力により、図３に示されるように、自動的に容易に復帰し、フレキシブル配線基板１８の接続端が取り出し可能とされる。
【００４９】
従って、固定端子付アクチュエータ部材１０がロック状態およびアンロック状態であっても、固定端子付アクチュエータ部材１０に帯電した静電気等は、固定部１０Ｒｆにおけるプリント配線基板ＰＢの導体に固定される半田付け固定端子部を通じて除去されることとなる。
【００５０】
図１６は、本発明に係るケーブル用コネクタの第２実施例の外観を示す。
【００５１】
図２に示される第１実施例におけるフレキシブル配線基板１８は、二層構造において、一方の表層部にグランド層１８Ｇを有するものとされるが、一方、図１６に示されるフレキシブル配線基板１８’は、二層構造において、一方の表層部に、信号ラインおよび接地ラインを形成する複数の導電層を有するものとされる。
【００５２】
その複数の導電層は、例えば、銅合金の層で絶縁性基材の一方の表層部に形成され、複数の信号ライン群をフレキシブル配線基板１８’の幅方向に沿って所定の間隔で互いに平行に有している。フレキシブル配線基板１８’の幅方向に沿った双方の最端部にそれぞれ、接地ラインが形成され、また、それ以外の部分においては、２本の接地ラインが、例えば、２本の信号ラインに隣接して、その２本の信号ラインをまとめて挟むように略平行に形成されている。従って、所定数の各接地ラインが、２本の信号ラインを隔てて形成されることとなる。
【００５３】
複数の導電層の一方の端部には、各導電層に対応して複数のコンタクトパッド群が形成されている。そのコンタクトパッド群を構成する各コンタクトパッドは、後述するコンタクト端子２６ａｉ、２８ａｉの配列に対応して二列で形成されている。各列のコンタクトパッドは、フレキシブル配線基板１８’の幅方向に沿って所定の間隔で互いに平行に形成されている。また、隣接する各列におけるコンタクトパッドは、互いに向き合っている。
【００５４】
フレキシブル配線基板１８’を構成する絶縁性基材の他方の表層部におけるコンタクトパッド群に対向する部分には、所定の大きさの裏板が接合されている。その裏板においてコンタクトパッド群における一方のコンタクトパッド列の両端近傍には、それぞれ、上述のフレキシブル配線基板１８の被係止部１８ｂと同様な被係止部が一体に一対向かい合って形成されている。その各被係止部は、外方に向けて突出している。
【００５５】
なお、図１６乃至図２１においては、図２に示される例において同一とされる構成要素について同一の符号を付して示し、その重複説明を省略する。
【００５６】
ケーブル用コネクタは、フレキシブル配線基板１８’の他端に接続され、フレキシブル配線基板１８’の他端が着脱可能に接続されるケーブル収容部２４Ａを有するコネクタ本体部２４と、フレキシブル配線基板１８’の他端を信号入出力部としてのプリント配線基板ＰＢ（図１９参照）に電気的に接続する複数のコンタクト端子２６ａｉ、２８ａｉ（ｉ＝１〜ｎ，ｎは正の整数）と、固定端子付アクチュエータ部材１０と、を含んで構成されている。
【００５７】
コネクタ本体部２４は、樹脂材料で成形され、その略中央部にケーブル収容部２４Ａ（図１９参照）と、ケーブル収容部２４Ａの両脇に形成され固定端子付アクチュエータ部材１０の各脚部をそれぞれ内側に収容し支持する一対のアクチュエータ支持部と、ロック／アンロック部材１２Ｒおよび１２Ｌをそれぞれ内側に収容し固定するスリット部２４ＳＤと、を備えている。
【００５８】
スリット部２４ＳＤは、上述の一対のアクチュエータ支持部と各側壁の外周部との間の部分にそれぞれ形成されている。スリット部２４ＳＤの開口端近傍は、図１７に拡大されて示されるように、ケーブル収容部２４Ａから離隔する方向に所定の勾配で傾斜するように形成されている。これにより、傾斜面２４ｒがスリット部２４ＳＤの開口端近傍の一部に形成されている。
【００５９】
コネクタ本体部２４のケーブル収容部２４Ａは、図１８に拡大されて示されるように、フレキシブル配線基板１８’の接続端が着脱可能となるように、前方および上方が開口している。ケーブル収容部２４Ａの底部を形成する底壁部には、図１９に拡大されて示されるように、コンタクト端子２６ａｉおよび２８ａｉが圧入される溝２４ｓａｉ（ｉ＝１〜ｎ，ｎは正の整数）がフレキシブル配線基板１８’の接続端の着脱方向に対し略直交する方向に所定の間隔で形成されている。各溝２４ｓａｉは、背面部に向かって延在しケーブル収容部２４Ａを貫通している。これにより、各溝２４ｓａｉは、図１６に拡大されて示されるように、背面部に形成される大小の各スリットに連通する。
【００６０】
隣接する溝２４ｓａｉの相互間は、隔壁２４ｗｉ（ｉ＝１〜ｎ，ｎは正の整数）により仕切られている。各溝２４ｓａｉには、向かい合って２本のコンタクト端子２６ａｉ、または、コンタクト端子２６ａｉおよびコンタクト端子２８ａｉの可動端子部および固定端子部が圧入されている。
【００６１】
コンタクト端子２８ａｉは、図１６に拡大されて示されるように、２本のコンタクト端子２６ａｉをまとめて挟むように所定の間隔で配されている。即ち、コンタクト端子２８ａｉは、複数のコンタクト端子２６ａｉの配列を２本のコンタクト端子２６ａｉごとに仕切るように配置されている。
【００６２】
薄板金属材料で作られるコンタクト端子２６ａｉは、二股状に分岐して形成される可動端子部および固定端子部２６Ｆと、可動端子部および固定端子部２６Ｆを連結する固定部とからなる。
【００６３】
弾性変位可能な可動端子部は、フレキシブル配線基板１８’の接続端に形成されるコンタクトパッド（不図示）に当接する接点部２６Ｃを先端に有している。その固定部は、プリント配線基板ＰＢの導体に半田付け固定されている。
【００６４】
薄板金属材料で作られるコンタクト端子２８ａｉは、三又状に分岐して形成される可動端子部２８Ｋ、接地用端子２８Ｅおよび固定端子部２８Ｆと、可動端子部２８Ｋ、接地用端子２８Ｅおよび固定端子部２８Ｆを連結する固定部とからなる。
【００６５】
弾性変位可能な可動端子部２８Ｋは、フレキシブル配線基板１８’の接続端に形成されるコンタクトパッド（不図示）に当接する接点部２８Ｃを先端に有している。可動端子部２８Ｋに対し略平行となるようにその上方に形成される接地用端子２８Ｅの先端部は、常に、固定端子付アクチュエータ部材１０の押圧部１０Ｐにおける基端部に当接している。接地用端子２８Ｅにおける基端からその先端部までの長さは、可動端子部２８Ｋにおける対応する長さに比して小に設定されている。
【００６６】
コンタクト端子２８ａｉの固定部は、プリント配線基板ＰＢの導体に半田付け固定されている。
【００６７】
両端に位置するコンタクト端子２８ａｉにそれぞれ隣接した位置には、挿入されるフレキシブル配線基板１８’の接続端をコンタクト端子２６ａｉの接点部２６Ｃおよびコンタクト端子２８ａｉの接点部２８Ｃに対し案内し位置決めする案内壁が、上述のコネクタ本体部１４（図７参照）と同様に形成されている。
【００６８】
また、その案内壁と両端に位置する溝２４ｓａｉとの間には、図２１に拡大されて示されるように、挿入されるフレキシブル配線基板１８’の接続端の端面が当接される位置決め壁２４Ｅが形成されている。これにより、挿入されるフレキシブル配線基板１８’およびその被係止部が案内壁、位置決め壁２４Ｅによって、その着脱方向に沿って位置規制されることとなる。
【００６９】
斯かる構成において、フレキシブル配線基板１８’の接続端をコネクタ本体部２４のケーブル収容部２４Ａ内に接続する場合、図１８および図１９に示されるように、固定端子付アクチュエータ部材１０がアンロック状態とされるもとで、フレキシブル配線基板１８’の表層部におけるコンタクトパッド群をコンタクト端子２６ａｉおよび、２８ａｉに向けて接続端がケーブル収容部２４Ａ内に挿入される。
【００７０】
次に、フレキシブル配線基板１８’の被係止部がケーブル収容部２４Ａ内の切欠部に挿入され上述の案内壁に係止された後、固定端子付アクチュエータ部材１０の押圧部１０Ｐが下方に向けて押圧される。これにより、その案内面１０Ｅによって、ロック／アンロック部材１２Ｒおよび１２Ｌの係止部１２Ｒｓおよび１２Ｌｓが互いに離隔する方向に押圧される。従って、ロック／アンロック部材１２Ｒおよび１２Ｌは、一旦、アンロック状態となる。
【００７１】
そして、さらに押圧部１０Ｐが下方に向けて押圧されることにより、ロック／アンロック部材１２Ｒおよび１２Ｌは、その復元力により矢印の示す方向とは反対方向に向けて戻され、図１６、図２０および図２１に拡大されて示されるように、ロック状態となる。その際、押圧部１０Ｐの基端部がコンタクト端子２８ａｉの接地用端子２８Ｅに当接し、かつ、可動端子２８Ｋが接地ラインに当接しているので接地ラインおよび押圧部１０Ｐが確実に半田付け固定端子部を通じて接地され、その結果、ノイズ等が固定部１０Ｒｆにおけるプリント配線基板ＰＢの導体に固定される半田付け固定端子部を通じて除去されることとなる。
【００７２】
一方、フレキシブル配線基板１８’の接続端をコネクタ本体部２４のケーブル収容部２４Ａ内から取り外す場合、ロック／アンロック部材１２Ｒおよび１２Ｌの係止部１２Ｒｓおよび１２Ｌｓが互いに離隔する方向に、弾性力に抗して押圧操作され、アンロック状態とされる。これにより、固定端子付アクチュエータ部材１０の押圧部１０Ｐが、可動片部１０Ｒｓ，１０Ｌｓの弾性力により、自動的に容易に復帰し、フレキシブル配線基板１８’の接続端が取り出し可能とされる。
【００７３】
従って、固定端子付アクチュエータ部材１０がロック状態およびアンロック状態であっても、固定端子付アクチュエータ部材１０に帯電した静電気等は、接地用端子２８Ｅおよび、固定部１０Ｒｆにおけるプリント配線基板ＰＢの導体に固定される半田付け固定端子部を通じて除去されることとなる。
【００７４】
図２２乃至図２４は、それぞれ、上述の本発明に係るケーブル用コネクタの第１実施例および第２実施例に用いられる固定端子付アクチュエータ部材の他の一例を示す。
【００７５】
図１に示される例においては、可動片部１０Ｒｓは、部分１０Ｆに対して所定の角度をなして形成されており、その所定の角度は、例えば、部分１０Ｆと可動片部１０Ｒｓとの境界部分の位置Ｐ１に接する所定の曲率半径を有する円Ｒｂと、位置Ｐ１から所定距離、離隔した位置Ｐ３に接し、円Ｒｂよりも大なる曲率半径を有する円Ｒａとの共通接線により設定されている。
【００７６】
しかしながら、コネクタ本体部の厚さが、約１．２ｍｍを超えた厚さの場合、その所定の傾斜角度が必ずしもこのように二つの円における共通接線により設定される必要はなく、例えば、図２２乃至図２４に拡大されて示されるように、所定の傾斜角度が、部分３０Ｆと可動片部３０Ｒｓとの境界部分の位置Ｐ１に接する所定の曲率半径を有する一つの円Ｒｄの円弧に接するように設定されてもよい。
【００７７】
図２２および図２３において、固定端子付アクチュエータ部材３０は、導電性材料、例えば、薄板金属材料でプレス加工により一体に成形され、押圧操作される押圧部３０Ｐと、押圧部３０Ｐの両脇に連なり押圧部３０Ｐを弾性変位可能に支持する一対の脚部とから構成されている。
【００７８】
押圧部３０Ｐは、フレキシブル配線基板１８の接続端の幅よりも大なる幅を有している。押圧部３０Ｐの内面における略中央部には、互いに長さの異なる略長方形の押圧面部３０ＤＡおよび３０ＤＢが互いに略平行に隆起して形成されている。押圧面部３０ＤＡの両端部分近傍には、押圧面部１０ＤＡの長辺の寸法よりも大なる寸法で離隔した一対の孔３０ｂが形成されている。固定端子付アクチュエータ部材３０がロック状態の場合、各孔３０ｂには、それぞれ、上述の案内壁１４ＲＰおよび１４ＬＰが挿入される。また、各孔３０ｂに隣接した押圧部３０Ｐの両側面部には、それぞれ、固定端子付アクチュエータ部材３０がロック状態に移行する場合、上述のロック／アンロック部材１２Ｒおよび１２Ｌの係止部１２Ｒｓ，１２Ｌｓに係合される所定の案内面３０Ｅが形成されている。固定端子付アクチュエータ部材３０がコネクタ本体部１４に装着される場合、押圧部３０Ｐの後端近傍の一部は、コネクタ本体部１４の上壁１４ＴＷの端部における内側の窪み内に挿入されている。これにより、押圧部３０Ｐの後端近傍の外面は、その窪みの周縁１４ｔｐに当接している。その際、周縁１４ｔｐは、押圧部３０Ｐが押圧操作される場合、押圧部３０Ｐにおける支点（位置Ｐ２：図２４参照）となる。
【００７９】
一対の脚部の一端は、それぞれ、押圧部３０Ｐの押圧面部３０ＤＡの両脇に形成されている。各脚部の一端と押圧面部１０ＤＡの短辺側の端との間には、所定の長さの切欠部３０Ｋが形成されている。各切欠部３０Ｋの周縁には、比較的浅い窪み３０Ｋａが形成されている。
【００８０】
押圧部３０Ｐが押圧操作され、所定の位置まで押し下げられる場合、切欠部３０Ｋには、上述の案内壁１４ＲＷ，１４ＬＷの端部が挿入される。
【００８１】
一対の脚部は、互いに同一の構造を有するので図２２および図２３における右側の脚部について説明し、左側の脚部についての説明を省略する。右側の脚部は、他端に形成されコネクタ本体部１４のアクチュエータ支持部１４ＳＡに圧入される固定部３０Ｒｆと、押圧部３０Ｐの押圧面部３０ＤＡの両脇に形成される可動片部３０Ｒｓと、固定部３０Ｒｆと可動片部３０Ｒｓとを連結する湾曲部３０Ｒｂとから構成される。
【００８２】
固定部３０Ｒｆは、その端部にプリント配線基板ＰＢの導体に固定される半田付け固定端子部を有している。可動片部３０Ｒｓと湾曲部３０Ｒｂとの間の部分３０Ｆ（図２２において斜線が施される部分）は、アクチュエータ支持部１４ＳＡの上壁の内面に当接している。可動片部３０Ｒｓは、図２４に拡大されて示されるように、部分３０Ｆに対して所定の角度をなして形成されている。その際、上述したように、所定の傾斜角度が、部分３０Ｆと可動片部３０Ｒｓとの境界部分の位置Ｐ１に接する所定の曲率半径を有する一つの円Ｒｄの円弧に接するように設定されている。
【００８３】
そして、このような固定端子付アクチュエータ部材３０においても、上述した固定端子付アクチュエータ部材１０と同様な作用効果を奏することとなる。
【図面の簡単な説明】
【００８４】
【図１】本発明に係るケーブル用コネクタの第１実施例および第２実施例に用いられる固定端子付アクチュエータ部材の外観を示す斜視図である。
【図２】本発明に係るケーブル用コネクタの第１実施例の外観を示す斜視図である。
【図３】図２に示される例における動作説明に供される斜視図である。
【図４】図２に示される例に用いられるフレキシブル配線基板のコンタクトパッドの配列を示す斜視図である。
【図５】図２に示される例における正面図である。
【図６】図５におけるＶＩ−ＶＩ線に沿って示される断面図である。
【図７】図２に示される例における各構成要素を示す分解斜視図である。
【図８】図２に示される例における固定端子付アクチュエータ部材の動作説明に供される図である。
【図９】図２に示される例における動作説明に供される斜視図である。
【図１０】図９におけるＡ部を部分的に拡大して示す斜視図である。
【図１１】（Ａ）、および（Ｂ）は、それぞれ、図２に示される例における動作説明に供される断面図である。
【図１２】図２に示される例における動作説明に供される正面図である。
【図１３】図１２におけるＢ部を部分的に拡大して示す部分拡大図である。
【図１４】図２に示される例における動作説明に供される平面図である。
【図１５】図１４におけるＡ部を部分的に拡大して示す部分拡大図である。
【図１６】本発明に係るケーブル用コネクタの第２実施例の外観を示す斜視図である。
【図１７】図１６に示される例における平面図である。
【図１８】図１６に示される例における正面図である。
【図１９】図１８におけるＸＩＶ−ＸＩＶ線に沿って示される断面図である。
【図２０】図１６に示される例における動作説明に供される正面図である。
【図２１】図２０におけるＸＸＩ−ＸＸＩ線に沿って示される断面図である。
【図２２】本発明に係るケーブル用コネクタの第１実施例および第２実施例に用いられる固定端子付アクチュエータ部材の他の一例を示す平面図である。
【図２３】図２２に示される例における底面図である。
【図２４】図２３に示される例における側面図である。
【符号の説明】
【００８５】
１０、３０    固定端子付アクチュエータ部材
１０Ｐ、３０Ｐ    押圧部
１０Ｄ、３０ＤＡ、３０ＤＢ    押圧面部
１０Ｋ、３０Ｋ    切欠部
１０Ｒｓ、１０Ｌｓ、３０Ｒｓ、３０Ｌｓ    可動片部
１０Ｒｆ、１０Ｌｆ、３０Ｒｆ、３０Ｌｆ    固定部
１２Ｒ，１２Ｌ    ロック／アンロック部材
１４、２４    コネクタ本体部
１４Ａ、２４Ａ    ケーブル収容部
１４ｔｐ    周縁
１４ＴＷ    上壁
１６ａｉ、２６ａｉ、２８ａｉ    コンタクト端子
１８、１８’    フレキシブル配線基板
１８ａｉ    コンタクトパッド群
２８Ｅ    接地用端子
【図１】
2008282718.tif 000003
【図２】
2008282718.tif 000004
【図３】
2008282718.tif 000005
【図４】
2008282718.tif 000006
【図５】
2008282718.tif 000007
【図６】
2008282718.tif 000008
【図７】
2008282718.tif 000009
【図８】
2008282718.tif 000010
【図９】
2008282718.tif 000011
【図１０】
2008282718.tif 000012
【図１１】
2008282718.tif 000013
【図１２】
2008282718.tif 000014
【図１３】
2008282718.tif 000015
【図１４】
2008282718.tif 000016
【図１５】
2008282718.tif 000017
【図１６】
2008282718.tif 000018
【図１７】
2008282718.tif 000019
【図１８】
2008282718.tif 000020
【図１９】
2008282718.tif 000021
【図２０】
2008282718.tif 000022
【図２１】
2008282718.tif 000023
【図２２】
2008282718.tif 000024
【図２３】
2008282718.tif 000025
【図２４】
2008282718.tif 000026